(57)【要約】  【課題】  本発明の目的の１つは、適応変調制御を理想的に行なうことである。  【解決手段】  本発明では、ＨＳＤＰＡに対応した移動局において、ＣＰＩＣＨの受信品質を測定する第１測定部と、ＨＳ−ＰＤＳＣＨの受信品質を測定する第２測定部と、受信環境に応じて、主に、前記第１測定部における測定結果を用いてＣＱＩ情報を生成するか、主に、前記第２測定部における測定結果を用いてＣＱＩ情報を生成するかを制御する制御部と、該ＣＱＩ情報を無線基地局に送信する送信部と、を備えたことを特徴とする移動局を用いる。【選択図】        図３
2006041607.tif 000002
【特許請求の範囲】
【請求項１】
ＨＳＤＰＡに対応した移動局において、
ＣＰＩＣＨの受信品質を測定する第１測定部と、
ＨＳ−ＰＤＳＣＨの受信品質を測定する第２測定部と、
受信環境に応じて、主に、前記第１測定部における測定結果を用いてＣＱＩ情報を生成するか、主に、前記第２測定部における測定結果を用いてＣＱＩ情報を生成するかを制御する制御部と、
該ＣＱＩ情報を無線基地局に送信する送信部と、
を備えたことを特徴とする移動局。
【請求項２】
前記制御部は、受信環境が良好な場合は、前記第２測定部の測定結果を主に用い、受信環境が良好でない場合は、前記第１測定部の測定結果を主に用いる、
ことを特徴とする請求項１記載の移動局。
【請求項３】
前記受信環境は、前記第１測定部における測定結果により求める、
ことを特徴とする請求項１記載の移動局。
【請求項４】
前記制御部は、受信環境に応じて、前記第１測定部における測定結果を用いてＣＱＩ情報を生成するか、前記第２測定部における測定結果を用いてＣＱＩ情報を生成するかを切り換えることを制御するか、又は、受信環境に応じて、前記第１測定部における測定結果と前記第２測定部における測定結果の重み付け合成の比率を該第１測定部の測定結果優位から該第２測定部の測定結果優位に切り換えることを制御する、
ことを特徴とする請求項１記載の移動局。
【請求項５】
前記第１測定部における測定結果とＣＱＩ情報との対応関係を記憶する第１記憶情報と、前記第２測定部における測定結果とＣＱＩ情報との対応関係を記憶する第２記憶情報とを記憶する記憶部を備え、
前記切り換えの際には、ＣＱＩ情報の生成に利用する記憶情報も切り換える、
ことを特徴とする請求項４記載の移動局。
【請求項６】
測定結果とＣＱＩ情報との対応関係を記憶する記憶部と、
前記第１測定部における測定結果又は前記第２測定部における測定結果を補正する補正部とを備え、
前記制御部は、該補正部で補正された測定結果に対応するＣＱＩ情報を前記記憶部から取得して前記ＣＱＩ情報を生成する、
ことを特徴とする請求項１記載の移動局。
【請求項７】
既知信号を受信するとともに、適応変調制御された信号を受信する通信装置において、
前記既知信号の受信品質を測定する第１測定部と、
前記適応変調制御された信号の受信品質を測定する第２測定部と、
前記適応変調制御に用いられるパラメータ情報を生成する際に、主に、前記第１測定部における測定結果を用いるか、主に、前記第２測定部における測定結果を用いるかを受信環境に応じて制御する制御部と、
該パラメータ情報を前記適応変調を行なう装置に送信する送信部と、
を備えたことを特徴とする通信装置。
【請求項８】
ＣＰＩＣＨの受信品質を測定して、制御部により該測定した受信品質に基づいてＣＱＩ情報を生成して、送信部から送信するＨＳＤＰＡに対応した移動局において、
ＨＳ−ＰＤＳＣＨの受信品質を測定する測定部を備え、
前記制御部は、受信環境に応じて、前記ＣＱＩ情報の生成に際して、該測定部における測定結果を用いる、
ことを特徴とする移動局。
【請求項９】
既知信号を受信するとともに、適応変調制御を行う送信装置に対して、該既知信号の受信品質に基づいて、該適応変調制御に用いられるパラメータ情報を送信する通信装置において、
前記送信装置から適応変調制御されて送信された信号の受信品質を測定する測定部と、
前記パラメータ情報を生成する際に、受信環境に応じて該測定部で測定した受信品質を用いるように制御する制御部と、
を備えたことを特徴とする通信装置。
【発明の詳細な説明】
【技術分野】
【０００１】
本発明は、通信装置に関し、例えば、Ｗ−ＣＤＭＡ（ＵＭＴＳ）通信方式を採用した移動無線通信システムで用いられる移動局に関する。
【背景技術】
【０００２】
現在、３ＧＰＰ（３rd  Generation Partnership Project）で、第３世代移動通信システムの１つの方式であるＷ−ＣＤＭＡ（ＵＭＴＳ）方式の標準化が進められている。そして、標準化のテーマの１つとして下りリンクで最大約１４Ｍｂｐｓの伝送速度を提供するＨＳＤＰＡ（High Speed Downlink Packet Access）が規定されている。
【０００３】
ＨＳＤＰＡは、適応符号化変調方式（ＡＭＣ：Adaptive Modulation and Coding）を採用しており、例えば、ＱＰＳＫ変調方式(QPSK modulation scheme)と１６値ＱＡＭ方式(16 QAM scheme)とを基地局、移動局間の無線環境に応じて適応的に切りかえることを特徴としている。
【０００４】
また、ＨＳＤＰＡは、Ｈ−ＡＲＱ（Hybrid Automatic Repeat reQuest）方式を採用している。Ｈ−ＡＲＱでは、移動局は基地局からの受信データについて誤りを検出した場合に、当該基地局に対して再送要求を行う。この再送要求を受信した基地局は、データの再送を行うので、移動局は、既に受信済みのデータと、再送された受信データとの双方を用いて誤り訂正復号化を行う。このようにＨ−ＡＲＱでは、誤りがあっても既に受信したデータを有効に利用することで、誤り訂正復号の利得を高め、再送回数を抑えている。
【０００５】
ＨＳＤＰＡに用いられる主な無線チャネルは、ＨＳ−ＳＣＣＨ（High Speed-Shared Control Channel）、ＨＳ−ＰＤＳＣＨ（High Speed-Physical Downlink Shared Channel）、ＨＳ−ＤＰＣＣＨ（High Speed-Dedicated Physical Control Channel）がある。
【０００６】
ＨＳ−ＳＣＣＨ、ＨＳ−ＰＤＳＣＨは、双方とも下り方向（即ち、基地局から移動局への方向であるダウンリンク）の共通チャネル（shared channel）であり、ＨＳ−ＳＣＣＨは、ＨＳ−ＰＤＳＣＨにて送信するデータに関する各種パラメータを送信する制御チャネルである。各種パラメータとしては、例えば、どの変調方式を用いてＨＳ−ＰＤＳＣＨによりデータを送信するかを示す変調タイプ情報や、拡散符号(spreading code)の割当て数（コード数）、送信データに対して行うレートマッチングのパターン等の情報が挙げられる。
【０００７】
一方、ＨＳ−ＤＰＣＣＨは、上り方向（即ち、移動局から基地局への方向であるアップリンク）の個別の制御チャネル(dedicated control channel)であり、ＨＳ−ＰＤＳＣＨを介して受信したデータの受信可、否に応じてそれぞれＡＣＫ信号、ＮＡＣＫ信号を移動局が基地局に対して送信する場合に用いられる。尚、移動局がデータの受信に失敗した場合（受信データがＣＲＣエラーである場合等）は、ＮＡＣＫ信号が移動局から送信されるので、基地局は再送制御を実行することとなる。
【０００８】
その他、ＨＳ−ＤＰＣＣＨは、基地局からの受信信号の受信品質（例えばＳＩＲ）を測定した移動局が、その結果をＣＱＩ情報（Channel Quality Indicator）として基地局に送信するためにも用いられる。基地局は、受信したＣＱＩ情報により、下り方向の無線環境の良否を判断し、良好であれば、より高速にデータを送信可能な変調方式に切りかえ、逆に良好でなければ、より低速にデータを送信する変調方式に切りかえる（即ち、適応変調を行う）。
・「チャネル構造」
次に、ＨＳＤＰＡにおけるチャネル構成について説明する。
【０００９】
図１は、ＨＳＤＰＡにおけるチャネル構成を示すための図である。尚、Ｗ−ＣＤＭＡは、符号分割多重方式を採用するため、各チャネルは符号により分離されている。
【００１０】
まず、説明していないチャネルについて簡単に説明しておく。
【００１１】
ＣＰＩＣＨ（Common Pilot Channel）、Ｐ−ＣＣＰＣＨ（Primary Common Control Physical Channel）は、それぞれ下り方向の共通チャネルである。
【００１２】
ＣＰＩＣＨは、移動局においてチャネル推定、セルサーチ、同一セル内における他の下り物理チャネルのタイミング基準として利用されるチャネルであり、いわゆるパイロット信号を送信するためのチャネルである。Ｐ−ＣＣＰＣＨは、各セルに１つ存在し、報知情報を送信するために使用されるチャネルである。
【００１３】
次に、図１を用いて、チャネルのタイミング関係について説明する。
【００１４】
図のように、各チャネルは、１５個のスロット（各スロットは、２５６０チップ長相当）により１フレーム（１０ｍｓ）を構成している。先に説明したように、ＣＰＩＣＨは他のチャネルの基準として用いられるため、Ｐ−ＣＣＰＣＨ及びＨＳ−ＳＣＣＨのフレームの先頭はＣＰＩＣＨのフレームの先頭と一致している。ここで、ＨＳ−ＰＤＳＣＨのフレームの先頭は、ＨＳ−ＳＣＣＨ等に対して２スロット遅延しているが、移動局がＨＳ−ＳＣＣＨを介して変調タイプ情報を受信してから、受信した変調タイプに対応する復調方式でＨＳ−ＰＤＳＣＨの復調を行うことを可能にするためである。また、ＨＳ−ＳＣＣＨ、ＨＳ−ＰＤＳＣＨは、３スロットで１サブフレームを構成している。
【００１５】
ＨＳ−ＤＰＣＣＨは、上り方向のチャネルであり、その第１スロットは、ＨＳ−ＰＤＳＣＨの受信から約７．５スロット経過後に、受信確認のための応答信号であるＡＣＫ／ＮＡＣＫ信号を移動局から基地局に送信するための用いられる。また、第２、第３スロットは、適応変調制御のためのＣＱＩ情報を定期的に基地局にフィードバック送信するために用いられる。ここで、送信するＣＱＩ情報は、ＣＱＩ送信の４スロット前から１スロット前までの期間に測定した受信環境（例えば、ＣＰＩＣＨのＳＩＲ測定結果）に基づいて算出される。
【００１６】
図２に、ＣＰＩＣＨのＳＩＲ（Signal to Interference Ratio）を用いる場合のＣＱＩテーブルを示す。
【００１７】
図に示すように、テーブルは、ＣＱＩ情報１〜３０のそれぞれについてＴＢＳ（Transport Block Size）ビット数、コード数、変調タイプ、ＣＰＩＣＨ−ＳＩＲの対応関係を定義している。
【００１８】
ここで、ＴＢＳビット数は１サブフレーム内で送信するビット数、コード数はＨＳ−ＰＤＳＣＨの送信に利用する拡散コードの数、変調タイプはＱＰＳＫ、ＱＡＭのいずれを用いるかを示している。
【００１９】
図から明らかなように、ＣＰＩＣＨのＳＩＲが良好な（ＳＩＲが大きい）ほど、ＣＱＩも大きい値となる。ＣＱＩが大きくなるほど、対応するＴＢＳビット数、拡散コード数も多くなり、変調方式もＱＡＭ変調方式に切り替わるのであるから、結局、ＳＩＲが良好なほど、伝送速度が速くなることが分かる。
【００２０】
図に示したテーブルは、例えば、移動局が有するメモリに記憶される。尚、このテーブルは各送信条件下で、所定のエラーレイトとなるようなＣＰＩＣＨの受信ＳＩＲを実測により求めることで作成することができる。
【００２１】
また、移動局は先に説明したように、受信環境測定期間においてＣＰＩＣＨのＳＩＲを測定し、記憶したテーブルを参照して測定したＳＩＲに対応するＣＱＩを特定して基地局へ送信する。
【００２２】
基地局は、受信したＣＱＩ情報に従って、先に説明した適応変調制御を実行することにより、移動局におけるＣＰＩＣＨの受信環境を考慮した送信制御が達成されるのである。
【００２３】
以上が、ＨＳＤＰＡのチャネル構成の簡単な説明である。
【００２４】
上述した、ＨＳＤＰＡに関する事項は、例えば次の非特許文献１に開示されている。
【非特許文献１】３Ｇ  ＴＳ  ２５．２１２（3rd Generation Partnership Project: TechnicalSpecification Group Radio Access Network ; Multiplexing and channel coding (FDD)）
【発明の開示】
【発明が解決しようとする課題】
【００２５】
先に説明した背景技術によれば、通信装置としての移動局が受信環境を測定し、その結果を送信装置としての基地局に報告することで、送信装置において受信環境に応じた適応変調制御が実行される。
【００２６】
しかし、移動局が測定するのは、適応変調により送信が行なわれるチャネルとは異なるチャネルである。
【００２７】
本来であれば、適応変調制御を行なうチャネル（ＨＳ−ＰＤＳＣＨ）自体の受信品質に応じてＣＱＩ情報を特定することが理想的であるが、ＨＳ−ＰＤＳＣＨを簡単には利用することができない。
【００２８】
即ち、ＨＳ−ＰＤＳＣＨで送信される信号は既知信号ではなく、例えば、ＱＰＳＫ方式が選択されている場合には、受信した信号が４つの信号点のうちどれに該当するかを必ずしも正しく評価できるとは限らず、結果的に受信ＳＩＲを正確に測定できない。特に、１６値ＱＡＭ方式が選択されている場合には、信号点の数は、更に４倍の１６個となるため、受信ＳＩＲの測定は困難である。
【００２９】
そこで、背景技術では、適応変調制御を行なうチャネルとは異なるチャネルであるが、既知信号であるＣＰＩＣＨの受信ＳＩＲを正確に測定して、ＣＱＩ情報の算出に利用しているのである。
【００３０】
しかし、ＣＰＩＣＨのＳＩＲは先に説明したように、適応変調制御を行なうチャネルであるＨＳ−ＰＤＳＣＨとは別個のチャネル（異なる拡散コードにより拡散されて送信されているチャネル）であるために、ＨＳ−ＰＤＳＣＨにおける受信環境を正確に表すものとはいえず、適応変調制御が理想的に動作せず、効率が低下することがある。
【００３１】
従って、本発明の目的の１つは、適応変調制御を適応変調制御を行なうチャネルの受信環境に追従させて、理想的な動作とすることである。
【００３２】
尚、上記目的に限らず、後述する発明を実施するための最良の形態に示す各構成により導かれる効果であって、従来の技術によっては得られない効果を奏することも本発明の目的の１つとして位置付けることができる。
【課題を解決するための手段】
【００３３】
（１）本発明では、ＨＳＤＰＡに対応した移動局において、ＣＰＩＣＨの受信品質を測定する第１測定部と、ＨＳ−ＰＤＳＣＨの受信品質を測定する第２測定部と、受信環境に応じて、主に、前記第１測定部における測定結果を用いてＣＱＩ情報を生成するか、
主に、前記第２測定部における測定結果を用いてＣＱＩ情報を生成するかを制御する制御部と、該ＣＱＩ情報を無線基地局に送信する送信部と、を備えたことを特徴とする移動局を用いる。
（２）また、本発明では、前記制御部は、受信環境が良好な場合は、前記第２測定部の測定結果を主に用い、受信環境が良好でない場合は、前記第１測定部の測定結果を主に用いることを特徴とする（１）記載の移動局を用いる。
（３）また、本発明では、前記受信環境は、前記第１測定部における測定結果により求めることを特徴とする（１）記載の移動局を用いる。
（４）また、本発明では、前記制御部は、受信環境に応じて、前記第１測定部における測定結果を用いてＣＱＩ情報を生成するか、前記第２測定部における測定結果を用いてＣＱＩ情報を生成するかを切り換えることを制御するか、又は、受信環境に応じて、前記第１測定部における測定結果と前記第２測定部における測定結果の重み付け合成の比率を該第１測定部の測定結果優位から該第２測定部の測定結果優位に切り換えることを制御する、
ことを特徴とする（１）記載の移動局を用いる。
（５）また、本発明では、前記第１測定部における測定結果とＣＱＩ情報との対応関係を記憶する第１記憶情報と、前記第２測定部における測定結果とＣＱＩ情報との対応関係を記憶する第２記憶情報とを記憶する記憶部を備え、前記切り換えの際には、ＣＱＩ情報の生成に利用する記憶情報も切り換える、ことを特徴とする（４）記載の移動局を用いる。
（６）また、本発明では、測定結果とＣＱＩ情報との対応関係を記憶する記憶部と、前記第１測定部における測定結果又は前記第２測定部における測定結果を補正する補正部とを備え、前記制御部は、該補正部で補正された測定結果に対応するＣＱＩ情報を前記記憶部から取得して前記ＣＱＩ情報を生成する、ことを特徴とする（１）記載の移動局を用いる。
（７）既知信号を受信するとともに、適応変調制御された信号を受信する通信装置において、前記既知信号の受信品質を測定する第１測定部と、前記適応変調制御された信号の受信品質を測定する第２測定部と、前記適応変調制御に用いられるパラメータ情報を生成する際に、主に、前記第１測定部における測定結果を用いるか、主に、前記第２測定部における測定結果を用いるかを受信環境に応じて制御する制御部と、該パラメータ情報を前記適応変調を行なう装置に送信する送信部と、を備えたことを特徴とする通信装置を用いる。
（８）本発明においては、ＣＰＩＣＨの受信品質を測定して、制御部により該測定した受信品質に基づいてＣＱＩ情報を生成して、送信部から送信するＨＳＤＰＡに対応した移動局において、ＨＳ−ＰＤＳＣＨの受信品質を測定する測定部を備え、前記制御部は、受信環境に応じて、前記ＣＱＩ情報の生成に際して、該測定部における測定結果を用いる、ことを特徴とする移動局を用いる。
（９）本発明においては、既知信号を受信するとともに、適応変調制御を行う送信装置に対して、該既知信号の受信品質に基づいて、該適応変調制御に用いられるパラメータ情報を送信する通信装置において、前記送信装置から適応変調制御されて送信された信号の受信品質を測定する測定部と、前記パラメータ情報を生成する際に、受信環境に応じて該測定部で測定した受信品質を用いるように制御する制御部と、を備えたことを特徴とする通信装置を用いる。
【発明の効果】
【００３４】
本発明にかかる通信装置によれば、適応変調制御を理想的に行なうことができることとなる。
【発明を実施するための最良の形態】
【００３５】
以下、図面を参照することにより、本発明の実施の形態について説明する。
【００３６】
〔ａ〕第１実施形態の説明
本実施形態では、既知信号（ＣＰＩＣＨ）を受信するとともに、適応変調制御された信号（ＨＳ−ＰＤＳＣＨ）を受信する場合に、既知信号の受信品質に主眼をおいて制御するか、適応変調制御された信号の受信品質に主眼をおいて制御するかを切り換えることで、適応変調制御の理想化を図る。
・「通信装置」
次に図３を用いて、本発明に係る通信装置について説明する。
【００３７】
図３は、本発明に係る通信装置を示す図である。通信装置の１例としてＨＳＤＰＡを採用したＷＣＤＭＡ（ＵＭＴＳ）に対応した移動通信システムにおいて用いられる移動局を例に挙げて説明する。もちろん、他の移動通信システムにおいて用いられる通信装置に適用することも可能である。
【００３８】
図において、１はアンテナ、２はデュプレクサ、３は復調部、４はＣＰＩＣＨ受信処理部、５はＨＳ−ＳＣＣＨ受信処理部、６はＨＳ−ＰＤＳＣＨ受信処理部、７は記憶部、８は制御部、９は送信処理部を示す。
【００３９】
移動局は、下りチャネル（例えば、ＣＰＩＣＨ、Ｐ−ＣＣＰＣＨ、ＨＳ−ＳＣＣＨ、ＨＳ−ＰＤＳＣＨ等）についてアンテナ１により受信し、デュプレクサ２を介して復調部３へ与える。復調部３は、受信信号についての直交検波等の受信処理を施して復調信号をＣＰＩＣＨ受信処理部４、ＨＳ−ＳＣＣＨ受信処理部５、ＨＳ−ＰＤＳＣＨ受信処理部６に与える。
【００４０】
ＣＰＩＣＨ受信処理部４は、基地局における適応変調制御に用いるパラメータとしてのＣＱＩ情報を特定するために用いられる受信環境を測定する。例としては、下り信号であるＣＰＩＣＨのＳＩＲを測定する。また、ＣＰＩＣＨ受信処理部４は、受信するＣＰＩＣＨが既知信号であることを利用して伝搬路における信号の位相回転、減衰等を補償（チャネル補償）するためのチャネル推定値を算出し、ＨＳ−ＳＣＣＨ受信処理部５、ＨＳ−ＰＤＳＣＨ受信処理部６に与える。チャネル推定値は、既知の信号点に対して受信信号がどれだけずれているかを位相平面上で評価することで得られることは良く知られている。
【００４１】
尚、受信環境の測定は、例えば、ＣＱＩ情報を送信するスロットに対して４スロット前から１スロット前までの期間で定期的に測定する。測定周期は、様々考えられるが、２０ｍｓ内で１回測定を行ない、同じ測定結果を第１〜第４サブフレームで繰返して送信し、残りの６サブフレームは送信を休止し、次の無線フレームでまた１回測定し、同様に所定のサブフレームで送信を行うこともできる。
【００４２】
ＨＳ−ＳＣＣＨ受信処理部５は、図１に示したＨＳ−ＳＣＣＨを介して送信される信号を受信するための受信処理部であり、ＨＳ−ＳＣＣＨの各第１スロットを受信し、チャネル推定値を用いて逆拡散処理、復号処理を行うことで、自局宛てのメッセージがあるかどうか判定する。
【００４３】
第１スロットは、Ｘｃｃｓ（Channelization Code Set information）、Ｘｍｓ（Modulation Scheme information）が畳み込み符号化されＸｕｅ（User Equipment identity）が乗算された信号が送信されるスロットであり、移動局は、自局のＸｕｅを用いて、逆の演算処理、復号処理を施すことで、自局宛てのメッセージかどうかを判断することができる。自局宛てであると判定した場合は、ＨＳ−ＳＣＣＨの残りのスロットの受信を行うとともに、２スロット遅れで送信されるＨＳ−ＰＤＳＣＨの受信を試みる。
【００４４】
ここで、ＨＳ−ＰＤＳＣＨの受信を行う際には、Ｘｃｃｓで指定された逆拡散コードのセット、Ｘｍｓで指定された変調方式に対応する復調方式で復調を行うこととなる。尚、ＨＳ−ＳＣＣＨの２スロット以降には、Ｘｔｂｓ（Transport Block Size information）、Ｘｈａｐ（Hybrid ARQ Process information）、Ｘｒｖ（Redundancy and constellation Version）、Ｘｎｄ（New Data indicator）が含まれる。これらの情報の意味、役割は周知であるので説明を省略する。
【００４５】
ＨＳ−ＰＤＳＣＨ受信処理部６は、ＨＳ−ＳＣＣＨ受信処理部５で自局宛てのメッセージがあった場合に、受信処理を実行し、復調、復号結果を制御部８に出力する。先に説明したように、復調等の処理を行うために必要とされる情報は、ＨＳ−ＳＣＣＨを介して受信することで得られる。制御部８は、その復号結果（例えばＣＲＣエラーなし）からＨＳ−ＰＤＳＣＨを介して自局宛てに送信が実際にあったかどうかを確かめることもできる。
【００４６】
また、ＨＳ−ＰＤＳＣＨ受信処理部６は、自局宛てのメッセージがある場合には、更に、ＳＩＲの測定も行なうこととする。尚、この測定は、受信環境が良好であると判定された場合だけ行なってもよい。
【００４７】
ここで、ＨＳ−ＰＤＳＣＨ受信処理部６におけるＳＩＲ測定処理について図４を用いて簡単に説明する。
【００４８】
図４において、１０はＨＳ−ＰＤＳＣＨ逆拡散処理部を示す。尚、ＨＳ−ＰＤＳＣＨ逆拡散処理部１０は、逆拡散を行なうコード数分だけ備えることが好ましい。
【００４９】
逆拡散処理部１０は、マルチパス対応に複数の逆拡散処理部１０−１〜１０−３（ここでは、３つとする）を備え、各逆拡散処理部は、逆拡散部１００−１、チャネル補償部１０１−１を備えている。
【００５０】
１１は逆拡散処理部からの逆拡散後の信号について最大比合成を行なうＲＡＫＥ合成部を示す。１２はデータ軟判定部をし、１３は入力データに対してターボ復号等の復号処理を施す復号部を示す。
【００５１】
次に、動作について簡単に説明する。
【００５２】
入力された受信信号は、逆拡散処理部１０−１〜１０−３に並列に入力され、各々の逆拡散処理部１００（−１〜−３）に入力される。
【００５３】
逆拡散処理部１００は不図示の逆拡散コード発生部から与えられる逆拡散コードを用いて、受信信号の逆拡散処理を実行する。
【００５４】
ここで、逆拡散処理部１００−１〜１００−３はそれぞれのパスについての逆拡散を行なうため、逆拡散タイミングもそれぞれ異なっている。
【００５５】
逆拡散処理部１００で、逆拡散された受信信号は、チャネル補償部１０１（−１〜―３）に入力され、伝搬路における位相回転、減衰等を補償すべく、チャネル補償処理が施される。
【００５６】
先に説明したように、ＣＰＩＣＨ受信処理部４からチャネル推定値がＨＳ−ＰＤＳＣＨ受信処理部６に入力されているため、このチャネル推定値を用いて、受信信号に対してチャネル補償係数を乗算することでチャネル補償を実現することができる。
【００５７】
以上のように、逆拡散処理部１０−１で逆拡散された、マルチパス対応の受信信号は、ＲＡＫＥ合成部１１に入力され最大比合成されて出力される。
【００５８】
ＲＡＫＥ合成された信号は、次にデータ軟判定部１２において、対応する信号点の判定を行うとともに、信号点にどれだけ近いかを示す尤度情報を出力する。
【００５９】
ＳＩＲ測定部１４は、ＲＡＫＥ合成後の受信信号について、データ軟判定部で判定された信号点からのずれに基づいてＳＩＲを求め、求めたＳＩＲを制御部８へ出力する。
【００６０】
１３は入力データに対してターボ復号等の復号処理を施して、誤り訂正後のデータを制御部８へ出力する。
【００６１】
以上のように、ＨＳ−ＰＤＳＣＨ処理部６において、ＨＳ−ＰＤＳＣＨの復号及びＳＩＲの測定が行なわれ、その結果が制御部８に入力されることとなる。
【００６２】
再び図３の説明に戻ることとする。
【００６３】
記憶部７は、図２に示すようなＣＱＩテーブル（第１テーブル）に加えて、更に、ＨＳ−ＰＤＳＣＨのＳＩＲに対応させてＣＱＩ情報を記憶するＣＱＩテーブル（第２テーブル）も記憶している。
【００６４】
制御部８は、各部の動作を制御するとともに、ＣＰＩＣＨ受信処理部４からの受信ＳＩＲ、ＨＳ−ＳＣＣＨからの受信データ、ＨＳ−ＰＤＳＣＨからの復号データ及び受信ＳＩＲを受信して処理する。
【００６５】
また、記憶部７に記憶している情報を参照して、ＣＱＩ情報を生成し、送信処理部９に与えたり、ＨＳ−ＰＤＳＣＨにおけるＣＲＣチェック結果に応じてＡＣＫ信号、ＮＡＣＫ信号を生成して同様に送信処理部９に与える。
【００６６】
送信処理部９は、制御部からのＣＱＩ情報、ＡＣＫ又はＮＡＣＫ信号をＨＳ−ＤＰＣＣＨの所定スロットで送信する。
【００６７】
以上が、図３に示した各部の動作の説明である。尚、基地局は、ＨＳ−ＤＰＣＣＨを介して受信したＣＱＩ情報に基づいて、対応する送信（変調）方式で以後の送信を行なうとともに、ＡＣＫ信号受信により次の新規データを送信し、ＮＡＣＫ信号を受信するか又は送信から所定時間内にＡＣＫ信号を受信しない場合は、送信データの再送信を実行する。
・「ＣＱＩ情報の生成方法１」
次に移動局が基地局に送信するパラメータであるＣＱＩ情報の生成方法について詳細に説明する。
【００６８】
この例では、制御部８は、ＣＰＩＣＨ受信処理部４からのＣＰＩＣＨのＳＩＲ測定値に基づいて受信環境の良し悪しを判定し、受信環境が良い場合は、ＨＳ−ＰＤＳＣＨの受信品質を利用する。
【００６９】
先に説明したように、ＨＳ−ＰＤＳＣＨを介して受信する信号は既知信号ではなく、一般的には、信号点の誤判定により受信品質（ＳＩＲ）を正しく測定できない。
【００７０】
しかし、受信環境が良い場合には、信号点の判定精度が高まるため、ＨＳ−ＰＤＳＣＨの品質（ＳＩＲ）の測定精度が高まり、間接的にＣＰＩＣＨの受信品質を利用するより信頼性が高まると考えられる。
【００７１】
特に、受信環境が良いときほど、適応変調制御を正確に実行して高速伝送を行なう必要があるため、好都合である。
【００７２】
そこで、このＣＱＩ情報の生成方法１では、ＳＩＲ測定値が所定の基準より大きい場合は、ＨＳ−ＰＤＳＣＨ受信処理部６からのＳＩＲ測定値に基づいて、記憶部７に記憶しているＨＳ−ＰＤＳＣＨ用のＣＱＩテーブル（第２テーブル）を用いてＣＱＩ情報を生成して、送信処理部９へ与える。
【００７３】
尚、このテーブルは各送信条件下で、所定のエラーレイトとなるようなＨＳ−ＰＤＳＣＨの受信ＳＩＲを実測もしくはシュミレーションにより求めることで作成することができ、特に、高速で伝送を行う部分についての対応するＨＳ−ＰＤＳＣＨのＳＩＲ値を記憶しておくことが好ましい。もちろん、全ての送信条件化で準備しておくこともできる。
【００７４】
一方、制御部８は、ＣＰＩＣＨ受信処理部４からのＣＰＩＣＨのＳＩＲ測定値が所定の基準以下であると判定した場合は、受信環境が悪い状態であるから、ＣＰＩＣＨ受信処理部４からのＳＩＲ測定値に基づいて、記憶部７に記憶しているＣＱＩテーブル（第１テーブル）を用いてＣＱＩ情報を生成して、送信処理部９へ与える。
【００７５】
このように受信環境が良い場合には、ＨＳ−ＰＤＳＣＨの受信品質（ＳＩＲ）に基づいてＣＱＩ情報を生成し、受信環境が悪い場合には、ＣＰＩＣＨの受信品質（ＳＩＲ）に基づいてＣＱＩ情報を生成するため、ＨＳ−ＰＤＳＣＨの受信ＳＩＲを効果的に利用することができることとなる。
【００７６】
尚、別の表現を用いると、受信環境が良い場合には、ＨＳ−ＰＤＳＣＨの受信ＳＩＲの測定結果を用いることで、ＨＳ−ＰＤＳＣＨの受信ＳＩＲを効果的に利用することができることとなる。
・「ＣＱＩ情報の生成方法２（テーブル共用）」
尚、この例では、ＣＱＩテーブルを２つ用いることとしたが、１つのテーブルとしてもよい。即ち、ＣＱＩテーブルのうち、受信環境が良い側（ＣＱＩが大きい側）については、ＣＱＩをＨＳ−ＰＤＳＣＨの受信ＳＩＲに対応させておき、受信環境が悪い側（ＣＱＩが小さい側）については、ＣＱＩをＣＰＩＣＨの受信ＳＩＲに対応させておくのである。
【００７７】
これにより、テーブルは１つのまま、受信環境に応じて、テーブルの参照に用いるキー情報としてのＳＩＲを、ＣＰＩＣＨについてのものとするか、ＨＳ−ＰＤＳＣＨについてのものとするかを制御部８が切り換えればよい。このとき、取り得るＣＱＩの各々に対してＳＩＲ値は１つだけ対応していることとなり、全てのＳＩＲ値は、ＣＰＩＣＨ用のものと、ＨＳ−ＰＤＳＣＨ用のものとのいずれか一方に対応することとなる。
【００７８】
このようにキーとするＳＩＲが切り替わることで、テーブルの参照部分も切り替わり、適応変調制御が効率的に行なえることとなる。
・「ＣＱＩ情報の生成方法３（重み付け合成）」
また、ＣＱＩの特定に用いるＳＩＲをＣＰＩＣＨとＨＳ−ＰＤＳＣＨとで単純に切り換えてもよいが、その上位概念として、ＣＰＩＣＨの受信ＳＩＲとＨＳ−ＰＤＳＣＨの受信ＳＩＲとを重み付け合成することもできる。
【００７９】
即ち、受信環境が良い（例えば、ＣＰＩＣＨの受信ＳＩＲが高い）場合には、ＨＳ−ＰＤＳＣＨの重みをＣＰＩＣＨの重みに対して大きくし、受信環境が悪い（例えば、ＣＰＩＣＨの受信ＳＩＲが低い）場合には、ＨＳ−ＰＤＳＣＨの重みをＣＰＩＣＨの重みに対して小さくするのである。
【００８０】
このようにすることで、受信環境が良いときは、主に、ＨＳ−ＰＤＳＣＨの受信品質に応じてＣＱＩ情報が選択され、受信環境が悪いときは、主に、ＣＰＩＣＨの受信品質に応じてＣＱＩ情報が選択されることとなる。尚、その際に用いるテーブルとしては、図２に示したテーブルとすることもできる。
【００８１】
尚、上記実施形態において、必要に応じてＳＩＲ値を補正してから、ＣＱＩテーブルを参照することとしてもよい。
・「受信環境の他の判定手法１」
以上の例では、ＣＰＩＣＨの受信ＳＩＲに基づいて、受信環境の良否を判定したが、他のパラメータに変更することもできる。例えば、ＨＳ−ＳＣＣＨ、ＨＳ−ＰＤＳＣＨ等の他のチャネルの受信品質を用いることができる。尚、その際、ＨＳ−ＰＤＳＣＨにおいて自局宛てに送信がなされるかどうかをＨＳ−ＳＣＣＨ受信処理部５における前述処理により、判定し、自局宛てに送信されることが予告された場合に、ＨＳ−ＰＤＳＣＨの受信品質（ＳＩＲ）を測定し、その値が高い場合に、その値をＣＱＩ情報の生成に用いることとしてもよい。その際、第２テーブルを使用することが望ましい。
・「受信環境の他の判定手法２」
また、ＨＳ−ＳＣＣＨにより通知される情報により、受信環境の良否を判定することもできる。
【００８２】
即ち、ＨＳ−ＳＣＣＨの受信処理により、高速の伝送が行なわれることの通知が自局宛てにあったことを検出したことで受信環境の良否を判定するのである。
【００８３】
例えば、（１）Ｘｃｃｓ（Channelization Code Set information）：割当てる拡散コードセット（拡散コード数等）を特定する情報、（２）Ｘｍｓ（Modulation Scheme information）：変調方式を特定する情報、（３）Ｘtbs（Transport Block Size information）：トランスポートブロックサイズを特定する情報、を用いるのである。
【００８４】
（１）により、所定数以上の拡散コードが割当てられたことを検出した場合、又は（２）により、１６値ＱＡＭが指定されたことを検出した場合、Ｘｔｂｓにより所定のトランスポートブロックサイズ以上（所定のビット数以上）が指定された場合に受信環境が良好であると判定することができる。
【００８５】
特に、（１）、（２）については、第１スロットにて早期に送信されるため、早期に利用することができる。
【００８６】
以上がＣＱＩ情報生成に関する基本的な説明であるが、ＣＰＩＣＨは常時送信されるのに対して、ＨＳ−ＰＤＳＣＨは常時自局宛てに送信されるとは限らない点に配慮することの好ましい。
【００８７】
即ち、図１に示したように、定期的にＣＱＩを送信すべく、ＳＩＲ測定期間でＣＰＩＣＨの測定を定期的に行なうことができるが、ＨＳ−ＰＤＳＣＨは自局宛てに送信されていない可能性がある。
【００８８】
そこで、ＨＳ−ＰＤＳＣＨのＳＩＲについては、ＣＱＩ送信前において自局宛てに送信された際に測定したＳＩＲを制御部８が、記憶しておき、それを用いてＨＳ−ＰＤＳＣＨの受信ＳＩＲとして前述処理を行なうことが好ましい。
【００８９】
但し、あまりに時間が経過した受信ＳＩＲを使用すると伝搬環境の変化により、適応変調制御が適性に行なえなくなる可能性もあるので、所定時間以上経過したＳＩＲ値は使用せず、ＨＳ−ＰＤＳＣＨの受信ＳＩＲの測定値はないものとして、制御部８は、ＣＰＩＣＨの受信ＳＩＲに基づくＣＱＩ情報の生成を行うことが望ましい。
【００９０】
信頼性の最も高いと思われるＨＳ−ＰＤＳＣＨの受信ＳＩＲは、図１において、ＣＱIの送信タイミングより前であり、１サブフレーム完全に受信可能なＩで示したサブフレームにおいて測定したＳＩＲであるが、ＣＰＩＣＨのように測定期間とサブフレーム期間が一致しないことも許容する場合には、ＣＰＩＣＨの測定期間と同じ測定期間とすることもできる。
【図面の簡単な説明】
【００９１】
【図１】ＨＳＤＰＡにおけるチャネル構成を示す図である。
【図２】ＣＱＩテーブルの例を示す図である。
【図３】本発明に係る通信装置（移動局）を示す図である。
【図４】本発明に係るＨＳ−ＰＤＳＣＨ受信処理部６におけるＳＩＲ測定について示す図である。
【符号の説明】
【００９２】
１    アンテナ
２    デュプレクサ
３    復調部
４    受信環境測定部
５    ＨＳ−ＳＣＣＨ受信処理部
６    ＨＳ−ＰＤＳＣＨ受信処理部
７    総受信電力測定部
８    制御部
９    送信処理部
１０  ＨＳ−ＰＤＳＣＨ逆拡散処理部
１０−１  逆拡散処理部
１１  ＲＡＫＥ合成部
１２  データ軟判定部
１３  復号部
１４  ＳＩＲ測定部
１００  逆拡散部
１０１  チャネル補償部
【図１】
2006041607.tif 000003
【図２】
2006041607.tif 000004
【図３】
2006041607.tif 000005
【図４】
2006041607.tif 000006